【手続補正書】
【提出日】平成18年1月30日(2006.1.30)
【手続補正１】
【補正対象書類名】明細書
【補正対象項目名】全文
【補正方法】変更
【補正の内容】
【書類名】          明細書
【発明の名称】      苗植機
【特許請求の範囲】
【請求項１】
車体１前部の左右両側部に補助苗載台８を前車輪２の外側部に配置して設けると共に、車体１の前車輪２の前部上方部に、後車輪３ないし苗植装置４の横端部を視界とするバックミラー５を設けたことを特徴とする苗植機。
【請求項２】
前記バックミラー５は、苗タンク６一側端の折畳苗タンク７とは反対側に設けたことを特徴とする請求項１に記載の苗植機。
【請求項３】
前記バックミラー１は、下動させて前車輪２に接触しないミラー収納状態とすることを特徴とする請求項１、または２に記載の苗植機。
【請求項４】
前記バックミラー５は、車体１の前部横側の補助苗載台８を移動させた状態で下方へ倒してミラー収納可能とすることを特徴とする請求項１、２、または３に記載の苗植機。
【請求項５】
前記バックミラー５は、下方へ倒した姿勢で後車輪３を視界とすることができることを特徴とする請求項１、２、３、または４に記載の苗植機。
【請求項６】
前記バックミラー５は、ウインカー９の上側または下側に設けたことを特徴とする請求項１，２，３，４、または５に記載の苗植機。
【発明の詳細な説明】
【０００１】
【発明の属する技術分野】
この発明は、車体の前部にバックミラーを有する苗植機に関する。乗用車体の後方に苗タンクや苗植付装置等からなる苗植装置を装着した苗植機に利用できる。
【０００２】
【発明が解決しようとする課題】
苗植機は、一定条数の苗植付を行いながら折返し往復行程を並列させて各苗植付条間を一定間隔に植付維持させるものである。このため、乗用形態の多条植機においては後車輪の位置や後方の苗植装置の横端の位置等がどこを通っているか、また植付が正確に行われているか等を度々確認することを要する。
【０００３】
【発明が解決しようとする手段】
このような課題を解決するため、請求項１に記載の発明は、車体１前部の左右両側部に補助苗載台８を前車輪２の外側部に配置して設けると共に、車体１の前車輪２の前部上方部に、後車輪３ないし苗植装置４の横端部を視界とするバックミラー５を設けたことを特徴とする苗植機の構成とする。そして、請求項２に記載の発明は、前記バックミラー５は、苗タンク６一側端の折畳苗タンク７とは反対側に設けたことを特徴とするものである。請求項３に記載の発明は、前記バックミラー１は、下動させて前車輪２に接触しないミラー収納状態とすることを特徴とするものである。請求項４に記載の発明は、前記バックミラー５は、車体１の前部横側の補助苗載台８を移動させた状態で下方へ倒してミラー収納可能とすることを特徴とするものである。請求項５に記載の発明は、前記バックミラー５は、下方へ倒した姿勢で後車輪３を視界とすることができることを特徴とするものである。さらに、請求項６に記載の発明は、前記バックミラー５は、ウインカー９の上側または下側に設けたことを特徴とするものである。
【０００４】
【発明の効果】
前記請求項１に記載の発明は、車体１前部の左右両側部に補助苗載台８を前車輪２の外側部に配置して設けられていて、運転者が補助苗の取出しが行い易く、然も、苗植車体１の前車輪２の前部上方部にバックミラー５が設けられて、運転者は運転席からこのバックミラー５を見て、後方の後車輪３や苗植装置４、この苗植付状態等を視認することができ、苗植付状況はもとより、概に植付けられている隣接の苗植付列条位置との間隔や、畦際との間隔、さらには、植付条の曲り等の確認が容易に行われ、操縦性をよくすることができる。
【０００５】
請求項２に記載の発明は、多条植形態の苗植装置４では、苗タンク６の一側端の折畳苗タンク７を内側へ折畳むようにして幅狭くすることができるが、バックミラー５は、この折畳苗タンク７とは反対側に位置する車体１の前車輪２の前部上方ないし外側部に設けられているため、後方視界がこの折畳苗タンク７に邪魔されることなく、正確に視認することができる。
【０００６】
請求項３に記載の発明は、バックミラー５は前車輪２の前部上方部に取付けられるが、この前車輪２の操向状態等によって接触しない位置に下動させて収納させることができるため、このバックミラー５が邪魔になるときは、格納が容易であり、バックミラー５の収納状態をコンパクト化することができる。
【０００７】
請求項４に記載の発明は、このバックミラー５の取付位置の近傍には、補助苗載台８が設けられることが多いが、この形態では補助苗載台８を移動させた状態で、バックミラー５を下方へ倒して収納させることによって、バックミラー５の設置領域が広くなり、相互に干渉し易い関係に位置であっても装着することができ、しかも不要時は収納を容易に行わせることができる。
【０００８】
請求項５に記載の発明は、バックミラー５は、通常は上方位置にあって後方の苗植装置４の横端部や後車輪３の位置を視界とするが、このバックミラー５を下方へ倒した状態で後車輪３の踏付位置を視界とすることによって、苗植車体１をトラックに対する積降しを行わせたり、畦越時にあゆみ板上を走行させるとき等の後車輪３走行を確認し易くすることができ、安全を高めることができる。
【０００９】
請求項６に記載の発明は、バックミラー５がウインカー９と上下の関係に設けられるために、構成が簡単化でき、邪魔になり難く、運転席からの視認性が容易である。
【００１０】
【発明の実施の形態】
この発明は、乗用、多条植形態の苗植機として利用される。また、車体は前車輪と後車輪とを有して四輪走行形態として、この車体の後側方に苗タンクや苗植付装置等からなる苗植装置を装着している。バックミラーは、この苗植車体の運転席に着座した姿勢で運転者が視線を通すことができ、後方の苗植装置や後車輪部を視界域とすることができる。
【００１１】
そこで、請求項１に記載の発明は、苗植車体の前車輪の前部上方部に、後車輪ないし苗植装置の横端部を視界とするバックミラーを設けたことを特徴とする苗植機の構成とするもので、苗植装置による苗植付状況や、植付条位置の間隔を確認し易くし、操縦性をよくする。
【００１２】
請求項２に記載の発明では、前記バックミラーは、苗タンク一側端の折畳苗タンクとは反対側に設けたことを特徴とするもので、折畳苗タンクによる後方視界の邪魔をなくして、正確な視認できる。また、請求項３に記載の発明では、前記バックミラーは、下動させて前車輪に接触しないミラー収納状態とすることを特徴とするもので、バックミラーの下方位置への収納を容易化し、コンパクト化を図る。また、請求項４に記載の発明では、前記バックミラーは、車体の前部横側の補助苗載台を移動させた状態で下方へ倒してミラー収納可能とすることを特徴とするもので、バックミラーの設置領域を広くして、収納をも容易に行うものである。また、請求項５に記載の発明では、前記バックミラーは、下方へ倒した姿勢で後車輪を視界とすることができることを特徴とするもので、バックミラーを下方に位置させることによって、後車輪の踏付位置を視界として、あゆみ板上等の走行を確認し易くする。さらに、請求項６に記載の発明では、ウインカーとバックミラーを上下関係に配置して、構成を簡単化し、邪魔になり難く、視認性をよくするものである。
【００１３】
ここに、苗植車体は、ステアリングハンドルを有するステアリングポストの左右両側部にステップフロアを形成し、この外側に補助苗載台を配置する形態とする。この形態では、バックミラーやウインカー等はこのステップフロアの外側部において配置されて、補助苗載台に接近し、またはこの補助苗載台の一部材と共用化した構成とすることもできる。
【００１４】
【実施例】
この発明の実施例を図面に基づいて説明する。第一実施例は図１〜図５に基づいて説明される。第二実施例は図６、図７に基づいて説明される。
【００１５】
【第一実施例】
図１〜図５に基づいて説明する。苗植車体１は、前後車輪を駆動して走行する四輪駆動走行形態で、運転席１０の前側のステアリングポスト１１上にステアリングハンドル１２を有し、このステアリングハンドル１２の操向で前車輪２を操向できる。この車体１には、運転席１０の下側のボンネット１３内にエンジン１４を搭載し、このエンジン１４の駆動で前車輪２や後車輪３を伝動すると共に、車体１後方に連結の苗植装置４を伝動することができる。
【００１６】
この車体１の上側に沿ってセンタフロア１５や、サイドフロア１６からなるステプフロアが配置される。このセンタフロア１５は、ステアリングポスト１１と運転席１０との間に形成されて、ブレーキペタルやクラッチペタル等が設けられる。また、サイドフロア１６は、これらステアリングポスト１１から、センタフロア１５、および運転席１０にわたる左右両側部に沿って形成されて、運転者が歩いて前後に移動できる足場となるもので、これらサイドフロア１６の外側部は前車輪２および後車輪３の上側を覆う形態に構成される。
【００１７】
苗植装置４は、苗植フレーム１７の下部にサイドフロート１８やセンタフロート１９を配置し、後部にはこれらのフロート１８，１９で均平された土壌面に苗を植付ける苗植付装置２０が配置され、上方にはこれら各苗植付装置２０に苗を供給する苗タンク６が配置される。これら苗タンク６や苗植付装置２０は、左右方向へ多条植形態に配置されて、苗タンク６はマット状の苗を収容して後下端部を苗植付装置２０の苗植爪２１の作動域へ繰出供給しながら一苗タンク６の横幅分だけ左右へ往復移動させることができる。この苗タンク６の上端は、前上方へ向けて傾斜させて、運転席１０の上側部へ接近させる形態として、補助苗載台８から補助苗の補給を行いやすくしている。
【００１８】
このような苗植装置４は、車体１の後方に向けて連結される平行リンク形態のリフトリンク２２に連結されて、車体１とこのリフトリンク２２との間のリフトシリンダ２３の油圧伸縮によって昇降される。また、前記センタフロート１９の上下動によって、このリフトシリンダ２３が伸縮制御されて、土壌深さを検出しながら苗植装置４を上下動して、苗植深さを一定に維持する。
【００１９】
苗タンク６への苗の補給を行うための補給苗を予め搭載させておく補助苗載台８は、前車輪２の外側部に配置されて、多段棚形態にして支持フレーム２４で取付支持される。この補助苗載台８は、前記サイドフロア１６の前部外側方に設けられて、運転者がこのサイドフロア１６部を足場として補助苗の取出し、苗タンク６部への移転供給を行わせ易くしている。
【００２０】
前記苗植装置４の苗植爪２１の作動軌跡線２５によって苗植付が行われるが、この苗植付爪２１の作用する苗分離口２６を形成した苗案内枠２７が苗タンク６の横幅方向にわたって設けられる。この苗案内枠２７は苗タンク６の左右移動域にわたって形成されるため、苗植装置４としては左右に突出された最も幅広く形成された部材となる。この苗案内枠２７や前方の補助苗載台８の外側端部は、前記サイドフロア１６の外側端よりも外方に位置してほぼ同幅位置に構成される。
【００２１】
前記補助苗載台８は、車体１前部の左右両側部に回動軸２８を有し、この回動軸２８の周りにほぼ１８０度旋回させて、外側への張出位置から内側後部の収納姿勢へ回動させることができる。バックミラー５を有するミラー支持杆２９が、前車輪２の前側で、支持フレーム２４の内側前部に設けられて、このミラー支持杆２９の下端部は、外側下方へ倒伏回動させるように折畳軸３０によって支持される。補助苗載台８は、このミラー支持杆２９の外側に位置されて、上端のバックミラー５はこの補助苗載台８よりも上位に設定されるが、この補助苗載台８を内側後部へ旋回させて収納姿勢とすると、このミラー支持杆２９を外側下方部へ回動させて折畳収納姿勢とすることができる。このとき、前車輪２よりも前側に位置するため、前車輪２に接触することがない。
【００２２】
前記ミラー支持杆２９を下方へ折り畳んだ状態で後車輪３の接触部を視界とすることによって、運転者はバックミラー５を介してこの後車輪３の接地部を見ることができ、幅狭いあゆみ板や、畦面に沿って走行させるときは、このバックミラー５の下動切替によって運転操作を容易に行うことができる。
【００２３】
このようなバックミラー５は、前車輪２の前部上方に位置して、補助苗載台８の最上段部よりも高い位置に設けられる。また、このバックミラー５は、この前車輪２の前部直上方よりも外側寄りに配置することもできる。さらに、補助苗載台８の棚段数が多く高い場合は、この補助苗載台８の最上端よりも低くして、内側のサイドフロア１６寄りに配置することもできる。
【００２４】
車体１の前部には、中央部にセンタポール３１が設けられ、左右両側方にサイドマーカ３２が設けられる。運転者はこれらセンタポール３１や、サイドマーカ３２を視準しながら走行運転する。
前記バックミラー５は、補助苗載台８の内側のサイドフロア１６上を通して直後方の後車輪３や苗植装置４の横端部、さらには、これによって植付けられる苗植付列条等を視界Ａとすることができる。このため、後車輪３や苗植装置４の通過位置や苗植状態等を確認することができる。このように運転者は、センタポール３１やサイドマーカ３２、およびバックミラー５等を視界に入れながら隣接の苗植列条に沿わせながら正確な苗植作業運転を行うものである。
【００２５】
また、苗タンク６内の苗が減少して、補助苗載台８上の苗を補給するときは、車体１の走行を一時停止して、この補助苗載台８上の補助苗を取出して後方の各苗タンク６へ供給する。
苗植機を収納状態にするときは、補助苗載台８を支持フレーム２４の回動軸２８の周りに回動させて、サイドフロア１６上側へ収納させる。これによってミラー支持杆２９の外側には邪魔部材がなくなるから、このミラー支持杆２９を折畳支持３０の回りに外側下方へ回動させて折畳収納させることができる。また、これとは逆にミラー支持杆２９を先に起立回動させてから、補助苗載台８を外側へ張出することができ、作業姿勢にすることができる。
【００２６】
【第二実施例】
主として図６、図７に基づいて上例と異なる点を説明する。前記苗植装置４の左右いずれか一側の折畳苗タンク７を、内側の苗タンク６部へ折畳む状態に構成する。このとき、折畳タンク７は、他の苗タンク６の側板３３部に対してヒンジ３４回りに回動させて、内側の苗タンク６上側部に重ねる形態にすることによって一苗タンクの横幅分だけ狭くすることができる。この場合、前記苗案内枠２７の両側端部３５を前側等で折畳んで幅狭くすることができる。
【００２７】
このように一部の苗タンク６を折畳んで狭くする形態では、バックミラー５をこの折畳苗タンク７とは反対側の車体１前車輪２側上方に設けることによって、この折畳苗タンク７による後方視界を邪魔されない形態とする。この形態ではバックミラー５を左右前車輪２の前部上方部に配置する場合は、この折畳苗タンク７の側とは反対側の苗タンク６端部側をバックミラー５で視界とすることができる。
【００２８】
【第三実施例】
主として図８に基づいて上例と異なる点を説明する。前記ミラー支持杆２９の上端部にウインカー９を取付けたものである。ウインカー９は道路走行時に方向指示器として点滅させるものであるが、バックミラー５よりも上位に設けることができるが、下位に設けることもできる。このウインカー９をミラー支持杆２９に取付けることによって構成を簡単にすることができるが、各別の支持杆に取付けることもできる。
【図面の簡単な説明】
【図１】
この発明の第一実施例に係る苗植機の平面図。
【図２】
その側面図。
【図３】
その一部の正面図。
【図４】
その側面図。
【図５】
その平面図。
【図６】
第二実施例に係る苗植機の平面図。
【図７】
その側面図。
【図８】
第三実施例に係るバックミラー部の正面図。
【符号の説明】
１    苗植車体
２    前車輪
３    後車輪
４    苗植装置
５    バックミラー
６    苗タンク
７    折畳苗タンク
８    補助苗載台
９    ウインカー